(57)【特許請求の範囲】
【請求項１】
画像形成装置に用いられる現像剤搬送装置において、
現像剤を収容する現像剤収容部と、
前記現像剤収容部の内部に配置され、回転により前記現像剤を搬送する現像剤搬送部材と、
前記現像剤搬送部材に駆動力を入力するための駆動入力部と、前記現像剤収容部の内部に配置され、前記駆動入力部から前記現像剤搬送部材に前記駆動力を伝達するクラッチであって、前記現像剤搬送部を回転させるために必要なトルクが所定の大きさを超えた場合に、前記現像剤搬送部材に前記駆動力が伝達されることを規制するクラッチと、
を備え、
前記クラッチは、前記クラッチが前記駆動入力部から前記駆動力を受けた際に、前記現像剤搬送部材が現像剤を搬送する現像剤搬送方向に向けて、現像剤を搬送するクラッチ側搬送部を少なくとも一つ有し、
前記クラッチは、前記現像剤搬送部材に前記駆動力を伝達する駆動伝達位置と、前記現像剤搬送部材に前記駆動力が伝達されることを規制する規制位置とを移動可能な移動部材を有し、
前記移動部材には前記クラッチ側搬送部が設けられ、前記移動部材は回転することで現像剤を前記現像剤搬送方向に搬送することを特徴とする現像剤搬送装置。
【請求項２】
画像形成装置に用いられる現像剤搬送装置において、
現像剤を収容する現像剤収容部と、
前記現像剤収容部の内部に配置され、回転により前記現像剤を搬送する現像剤搬送部材と、
前記現像剤搬送部材に駆動力を入力するための駆動入力部と、前記現像剤収容部の内部に配置され、前記駆動入力部から前記現像剤搬送部材に前記駆動力を伝達するクラッチであって、前記現像剤搬送部を回転させるために必要なトルクが所定の大きさを超えた場合に、前記現像剤搬送部材に前記駆動力が伝達されることを規制するクラッチと、
を備え、
前記クラッチは、前記クラッチが前記駆動入力部から前記駆動力を受けた際に、前記現像剤搬送部材が現像剤を搬送する現像剤搬送方向に向けて、現像剤を搬送するクラッチ側搬送部を少なくとも一つ有し、
前記クラッチは、前記現像剤搬送部材に前記駆動力を伝達する駆動伝達位置と、前記現像剤搬送部材に前記駆動力が伝達されることを規制する規制位置とを移動可能な移動部材を有し、
前記規制位置は、前記駆動伝達位置よりも前記現像剤搬送方向の下流側に位置し、
前記移動部材は前記駆動伝達位置から前記規制位置に移動することで前記現像剤搬送方向に現像剤を搬送することを特徴とする現像剤搬送装置。
【請求項３】
画像形成装置に用いられる現像剤搬送装置において、
現像剤を収容する現像剤収容部と、
前記現像剤収容部の内部に配置され、回転により前記現像剤を搬送する現像剤搬送部材と、
前記現像剤搬送部材に駆動力を入力するための駆動入力部と、前記現像剤収容部の内部に配置され、前記駆動入力部から前記現像剤搬送部材に前記駆動力を伝達するクラッチであって、前記現像剤搬送部を回転させるために必要なトルクが所定の大きさを超えた場合に、前記現像剤搬送部材に前記駆動力が伝達されることを規制するクラッチと、
を備え、
前記クラッチは、前記クラッチが前記駆動入力部から前記駆動力を受けた際に、前記現像剤搬送部材が現像剤を搬送する現像剤搬送方向に向けて、現像剤を搬送するクラッチ側搬送部を少なくとも一つ有し、
前記クラッチは、前記現像剤搬送部材に前記駆動力を伝達する駆動伝達位置と、前記現像剤搬送部材に前記駆動力が伝達されることを規制する規制位置とを移動可能な移動部材を有し、
前記移動部材には、前記移動部材が移動する際に、現像剤が通過することを許容する貫通穴が形成されていることを特徴とする現像剤搬送装置。
【請求項４】
画像形成装置に用いられる現像剤搬送装置において、
現像剤を収容する現像剤収容部と、
前記現像剤収容部の内部に配置され、回転により前記現像剤を搬送する現像剤搬送部材と、
前記現像剤搬送部材に駆動力を入力するための駆動入力部と、前記現像剤収容部の内部に配置され、前記駆動入力部から前記現像剤搬送部材に前記駆動力を伝達するクラッチであって、前記現像剤搬送部を回転させるために必要なトルクが所定の大きさを超えた場合に、前記現像剤搬送部材に前記駆動力が伝達されることを規制するクラッチと、
を備え、
前記クラッチは、前記クラッチが前記駆動入力部から前記駆動力を受けた際に、前記現像剤搬送部材が現像剤を搬送する現像剤搬送方向に向けて、現像剤を搬送するクラッチ側搬送部を少なくとも一つ有し、
前記クラッチは、前記現像剤搬送部材と係合して、前記駆動入力部から前記現像剤搬送部材に前記駆動力を伝達する駆動伝達部と、
前記駆動伝達部を覆うカバー部を有し、
前記カバー部には前記クラッチ側搬送部が設けられ、回転することによって現像剤を前記現像剤搬送方向に搬送することを特徴とする現像剤搬送装置。
【請求項５】
前記駆動伝達部は現像剤と接しないことを特徴とする請求項４に記載の現像剤搬送装置。
【請求項６】
画像形成装置に用いられる現像剤搬送装置において、
現像剤を収容する現像剤収容部と、
前記現像剤収容部の内部に配置され、回転により前記現像剤を搬送する現像剤搬送部材と、
前記現像剤搬送部材に駆動力を入力するための駆動入力部と、前記現像剤収容部の内部に配置され、前記駆動入力部から前記現像剤搬送部材に前記駆動力を伝達するクラッチであって、前記現像剤搬送部を回転させるために必要なトルクが所定の大きさを超えた場合に、前記現像剤搬送部材に前記駆動力が伝達されることを規制するクラッチと、
を備え、
前記クラッチは、前記クラッチが前記駆動入力部から前記駆動力を受けた際に、前記現像剤搬送部材が現像剤を搬送する現像剤搬送方向に向けて、現像剤を搬送するクラッチ側搬送部を少なくとも一つ有し、
前記現像剤搬送部材には、前記搬送部によって搬送された現像剤が通過するのを許容する貫通穴が形成されていることを特徴とする現像剤搬送装置。
【請求項７】
前記クラッチは、前記現像剤搬送部材に前記駆動力を伝達する駆動伝達位置と、前記現像剤搬送部材に前記駆動力が伝達されることを規制する規制位置とを移動可能な移動部材を有し、
前記移動部材には前記クラッチ側搬送部が設けられ、前記移動部材は回転することで現像剤を前記現像剤搬送方向に搬送することを特徴とする請求項２乃至６のいずれか１項に記載の現像剤搬送装置。
【請求項８】
前記クラッチは、
前記現像剤搬送部材に前記駆動力を伝達し回転させる駆動伝達位置および、記現像剤搬送部材に前記駆動力が伝達されることを規制する規制位置と、に移動可能な移動部材と、前記移動部材を前記駆動伝達位置に付勢するコイルバネと、を有し、
前記コイルバネは前記クラッチ側搬送部であって、前記現像剤搬送方向の上流側から前記現像剤搬送方向の下流側に向けて前記現像剤搬送部材の回転方向とは逆向きに巻かれ、回転することによって前記現像剤搬送方向へ現像剤を搬送することを特徴とする請求項１乃至７のいずれか１項に記載の現像剤搬送装置。
【請求項９】
前記現像剤搬送部材は回転することでその回転軸に沿った方向に現像剤を搬送することを特徴とする請求項１乃至８のいずれか１項に記載の現像剤搬送装置。
【請求項１０】
前記現像剤収容部から現像剤を排出する開口部と、
前記開口部に取り付けられ、前記開口部を封止する封止部材と、
前記封止部材を前記開口部から取り外すための除去部材と、
を備えることを特徴とする請求項１乃至９のいずれか１項に記載の現像剤搬送装置。
【請求項１１】
前記現像剤収容部の内部に配置され、現像剤を撹拌する現像剤撹拌部材を備えることを特徴とする請求項１乃至１０のいずれか１項に記載の現像剤搬送装置。
【請求項１２】
現像剤担持体を収容する現像部に向けて現像剤を搬送することを特徴とする請求項１乃至１１のいずれか１項に記載の現像剤搬送装置。
【請求項１３】
画像形成装置に着脱可能なカートリッジにおいて、
潜像が形成される像担持体と、
前記潜像を現像するための現像剤を担持する現像剤担持体と、
請求項１乃至１２のいずれか１項に記載の現像剤搬送装置と、
を備えることを特徴とするプロセスカートリッジ。
【請求項１４】
前記カートリッジは前記現像剤担持体を収納する現像部を更に備え、
前記現像剤搬送装置は、前記現像部に向けて現像剤を搬送することを特徴とする請求項１３に記載のプロセスカートリッジ。
【請求項１５】
記録媒体に画像を形成する画像形成装置において
潜像が形成される像担持体と、
前記潜像を現像するための現像剤を担持する現像剤担持体と、
前記記録媒体を搬送する記録媒体搬送手段と、
請求項１乃至１２のいずれか１項に記載の現像剤搬送装置と、
を備えることを特徴とする画像形成装置。
【請求項１６】
前記画像形成装置は前記現像剤担持体を収納する現像部を更に備え、
前記現像剤搬送装置は、前記現像部に向けて現像剤を搬送することを特徴とする請求項１５に記載の画像形成装置。
【発明の詳細な説明】
【技術分野】
【０００１】
本発明は、画像形成装置に用いられる現像剤搬送装置および、前記現像剤搬送装置を備えるプロセスカートリッジ、画像形成装置に関する。
【０００２】
ここで、現像剤搬送装置とは、画像形成に用いられる現像剤を搬送する装置である。例えば、プロセスカートリッジや現像剤補給カートリッジ、電子写真画像形成装置内における現像剤搬送手段などが含まれる。
【０００３】
画像形成装置とは、記録媒体に画像を形成するものである。電子写真画像形成プロセスを用いて記録媒体に画像を形成する、電子写真複写機、電子写真プリンタ（ＬＥＤプリンタ、レーザービームプリンタなど）、電子写真ファクシミリ装置などが含まれる。
【０００４】
また、記録媒体とは、画像を形成される物であって、例えば、記録シート、ＯＨＰシート等である。
【背景技術】
【０００５】
従来、画像形成装置における電子写真感光体、及び、これに作用するプロセス手段を一体的にカートリッジ化し、画像形成装置本体に着脱可能とするプロセスカートリッジ方式が知られている。プロセスカートリッジ方式は、装置のメンテナンスをユーザ自身で行うことができるため、操作性を向上できる。
【０００６】
プロセスカートリッジは、クリーニング装置（以下、クリーニングユニットと称す）と現像装置（以下、現像ユニットと称す）から形成される。クリーニングユニットは、電子写真感光体としての像担持体、像担持体の表面を清掃するクリーニング部材等を有する。現像ユニットは、像担持体に現像剤を供給する現像ローラ、現像剤を収容する現像剤収容部等を有する。
【０００７】
一方、プロセスカートリッジ方式の一つとして、現像剤補給方式が知られている。この方式は、現像剤補給カートリッジの現像剤補給開口とプロセスカートリッジの現像剤受入口を接続し、現像剤補給カートリッジからプロセスカートリッジへ現像剤を補給する構成を取っている。
【０００８】
現像剤補給方式において、現像剤補給カートリッジから補給された新しい現像剤と、現像ユニット内の古い現像剤が不均一に混ざると画像弊害を起こす。そこで、現像剤補給方式のプロセスカートリッジは、例えば、特許文献１に記載されるように以下の構成が取られている。
【０００９】
現像ユニットは、現像部と現像剤収容部に分けられる。現像部と現像剤収容部は、像担持体の回転軸方向（以下、「長手方向」という）の両端に設けられた開口によって接続している。現像剤収容部には、現像剤を搬送するための現像剤搬送部材と現像剤を撹拌する現像剤攪拌部材が設けられている。現像剤搬送部材と現像剤攪拌部材によって現像ユニット内で現像剤を循環させることで、新しい現像剤と古い現像剤を均一に混ぜている。
【００１０】
しかしながら、現像剤収容部内の現像剤は、物流によって、押し固められ凝集する。特に、物流時のプロセスカートリッジに、その長手方向が鉛直方向を向く姿勢を取らせ、且つ、現像剤搬送部材の搬送方向下流側が底面になる状態にすると、凝集した現像剤が現像剤搬送部材の搬送方向下流側に溜まる。この状態でプロセスカートリッジを使用すると、凝集した現像剤が現像剤搬送部材によって更に押し固められるため、現像剤搬送部材を駆動させるために必要なトルクが上昇する可能性がある。
【００１１】
その対策として、特許文献２のように現像剤撹拌部材と現像剤搬送部材の駆動ギア列上にクラッチを設けた構成がある。同一の駆動源で現像剤撹拌部材と現像剤搬送部材を駆動させる場合において、駆動源に過負荷がかかった場合には、クラッチによって現像剤搬送部材の回転を止めて、現像剤撹拌部材のみを回転させる構成である。
【００１２】
また、特許文献３のようにトルクリミッタを現像剤撹拌部材の駆動ギアに連結させ、過負荷がかかると、現像剤撹拌部材の駆動を遮断し、トナーシール引き駆動のみ回転させる構成がある。
【先行技術文献】
【特許文献】
【００１３】
【特許文献１】特開２０１０−０１４８９０号公報（図４）
【特許文献２】特開平１１−１６０９８５号公報（図１）
【特許文献３】特開２００９−１１６０３９号公報（図１）
【発明の概要】
【発明が解決しようとする課題】
【００１４】
特許文献２、３のように現像剤撹拌部材と現像剤搬送部材の駆動ギア列上にクラッチ等を設ける場合、クラッチを設ける分だけ装置の大型化が懸念される。
【００１５】
この装置の大型化を回避するために、クラッチを現像剤収容部内に配置することが考えられる。しかしながら現像剤収容部内にクラッチを配置した場合には、クラッチ周囲の現像剤は、現像剤搬送部材によって搬送されないので、クラッチの周囲で現像剤が滞留する可能性がある。
【００１６】
上記課題に鑑み、本発明は、現像剤搬送部への駆動を伝達あるいは制限する機構（以下クラッチ）を現像剤収容部に配し、現像剤搬送装置の小型化を図ったうえで、さらに現像剤の搬送性を高めることを目的とする。
【課題を解決するための手段】
【００１７】
上記目的を達成するための本発明の代表的な構成は、画像形成装置に用いられる現像剤搬送装置において、現像剤を収容する現像剤収容部と、前記現像剤収容部の内部に配置され、回転により前記現像剤を搬送する現像剤搬送部材と、前記現像剤搬送部材に駆動力を入力するための駆動入力部と、前記現像剤収容部の内部に配置され、前記駆動入力部から前記現像剤搬送部材に前記駆動力を伝達するクラッチであって、前記現像剤搬送部を回転させるために必要なトルクが所定の大きさを超えた場合に、前記現像剤搬送部材に前記駆動力が伝達されることを規制するクラッチと、を備え、前記クラッチは、前記クラッチが前記駆動入力部から前記駆動力を受けた際に、前記現像剤搬送部材が現像剤を搬送する現像剤搬送方向に向けて、現像剤を搬送するクラッチ側搬送部を少なくとも一つ有し、前記クラッチは、前記現像剤搬送部材に前記駆動力を伝達する駆動伝達位置と、前記現像剤搬送部材に前記駆動力が伝達されることを規制する規制位置とを移動可能な移動部材を有し、前記移動部材には前記クラッチ側搬送部が設けられ、前記移動部材は回転することで現像剤を前記現像剤搬送方向に搬送することを特徴とする。
【発明の効果】
【００１８】
以上説明したように、本発明によれば、現像剤収容部内にクラッチを設けることで装置小型化が図れる。また、クラッチに現像剤搬送能力を付与することで、現像剤の搬送性を高めることができる。
【図面の簡単な説明】
【００１９】
【図１】第１実施例におけるクラッチ部の拡大図
【図２】第１実施例及至第３実施例における電子写真画像形成装置の概略断面図
【図３】第１実施例及至第３実施例におけるプロセスカートリッジと現像剤補給カートリッジの主断面図
【図４】第１実施例及至第３実施例における画像形成装置内におけるプロセスカートリッジと現像剤補給カートリッジの全体像を示す斜視図
【図５】第１実施例及至第３実施例における、プロセスカートリッジの全体像を示す分解斜視図
【図６】第１実施例及至第３実施例における現像剤補給カートリッジの構成を示す概略斜視図
【図７】第１実施例及至第３実施例における現像ユニットの概略断面図
【図８】第１実施例におけるクラッチ部の分解斜視図
【図９】第１実施例における係合部材のＷ方向矢視図
【図１０】第１実施例および第２実施例における現像剤搬送部材の駆動時および駆動遮断時におけるクラッチ部の概略断面図
【図１１】第２実施例におけるクラッチ部の概略断面図
【図１２】第３実施例におけるクラッチ部の概略断面図
【発明を実施するための形態】
【００２０】
以下、本発明に係る現像剤搬送装置およびこれを採用したプロセスカートリッジカラー画像形成装置について、図面に則して説明する。
【００２１】
＜実施例１＞
［画像形成装置の全体構成］
最初に、画像形成装置１００の全体構成について、図２、図３を参照して説明する。図２は、カラー電子写真画像形成装置の概略を示す断面模式図である。図３は、プロセスカートリッジと現像剤補給カートリッジの主断面図である。
【００２２】
図２に示す画像形成装置１００は、電子写真プロセスを用いた４色フルカラーレーザプリンタであり、記録媒体Ｓにカラー画像形成を行う。画像形成装置１００は、プロセスカートリッジ方式である。この方式は、プロセスカートリッジＰ、及び、現像剤補給カートリッジＴを画像形成装置本体１００Ａに取り外し可能に装着して、記録媒体Ｓにカラー画像を形成するものである。
【００２３】
以下の説明において、画像形成装置本体（以下、「装置本体」という）１００Ａとは、画像形成装置１００の構成からプロセスカートリッジＰ、及び、現像剤補給カートリッジＴを除いた装置構成部分のことである。
【００２４】
装置本体１００Ａには、第１〜第４のプロセスカートリッジＰ（ＰＹ、ＰＭ、ＰＣ、ＰＫ）、及び、現像剤補給カートリッジＴ（ＴＹ、ＴＭ、ＴＣ、ＴＫ）を水平方向に並べて配設している。各プロセスカートリッジＰ、及び、現像剤補給カートリッジＴは、互いに同様の電子写真プロセス機構を有しており、現像剤の色や、現像剤の充填量が各々異なるものである。プロセスカートリッジＰ、及び、現像剤補給カートリッジＴには、それぞれ装置本体１００Ａから回転駆動力が伝達される。また、プロセスカートリッジＰには、装置本体１００Ａからバイアス（帯電バイアス、現像バイアス等）が供給される。プロセスカートリッジＰ、及び、現像剤補給カートリッジＴは、それぞれ独立に装置本体１００Ａに着脱可能である。
【００２５】
本実施例における各プロセスカートリッジＰは、図３に示すようにクリーニングユニット１と現像ユニット１０から形成される。クリーニングユニット１は、像担持体である感光体ドラム２と、この感光体ドラム２に作用する帯電ローラ３、及び、クリーニング部材６を備える。現像ユニット１０は、感光体ドラム２上の静電潜像を現像するための現像手段を有する。クリーニングユニット１と、現像ユニット１０とは、互いに揺動可能に結合されている。
【００２６】
第１のプロセスカートリッジＰＹは、現像剤収容部１５内にイエロー（Ｙ）の現像剤を収容しており、感光体ドラム２にＹ色の現像剤像を形成する。同様に、第２のプロセスカートリッジＰＭにはマゼンタ（Ｍ）、第３のプロセスカートリッジＰＣにはシアン（Ｃ）、第４のプロセスカートリッジＰＫには、ブラック（Ｋ）の現像剤を収容している。
【００２７】
一方、第１の現像剤補給カートリッジＴＹは、補給枠体４０内にイエロー（Ｙ）の現像剤を収容しており、同色の現像剤を収納したプロセスカートリッジＰＹにＹ色の現像剤を補給する。同様に、第２の現像剤補給カートリッジＴＭは、マゼンタ（Ｍ）の現像剤を収容しており、同色の現像剤を収納したプロセスカートリッジＰＭにＭ色の現像剤を補給する。同様に、第３の現像剤補給カートリッジＴＣは、シアン（Ｃ）の現像剤を収容しており、同色の現像剤を収納したプロセスカートリッジＰＣにＣ色の現像剤を補給する。同様に、第４の現像剤補給カートリッジＴＫは、ブラック（Ｋ）の現像剤を収容しており、同色の現像剤を収納したプロセスカートリッジＰＫにＫ色の現像剤を補給する。
【００２８】
図３に示すように、現像剤補給カートリッジＴの補給枠体４０には、プロセスカートリッジＰに現像剤を補給するための現像剤補給開口４３が設けられている。プロセスカートリッジＰの現像剤収容部１５には、現像剤補給開口４３に対応した現像剤受入口２３が設けられている。装置本体１００ＡにプロセスカートリッジＰと、現像剤補給カートリッジＴが装着されると、現像剤補給開口４３と現像剤受入口２３は、連通し、現像剤補給カートリッジＴからプロセスカートリッジＰへ現像剤が補給される。
【００２９】
なお、プロセスカートリッジＰと現像剤補給カートリッジＴの詳細は、後述する。
【００３０】
プロセスカートリッジＰ（ＰＹ・ＰＭ・ＰＣ・ＰＫ）の上方には、図２に示すように、露光手段としてのレーザスキャナユニットＬＢが配設されている。レーザスキャナユニットＬＢは、画像情報に対応してレーザ光Ｌを出力する。レーザ光Ｌは、感光体ドラム２の表面を走査露光する。
【００３１】
プロセスカートリッジＰ（ＰＹ・ＰＭ・ＰＣ・ＰＫ）の下方には、一次転写部材としての中間転写ベルトユニット１１０が配設されている。中間転写ベルトユニット１１０は、可撓性を有する無端の転写ベルト１１１と、転写ベルト１１１を張設して回動させる駆動ローラ１１２、従動ローラ１１３、二次転写対向ローラ１１４を有する。各プロセスカートリッジＰの感光体ドラム２は、転写ベルト１１１に接している。感光体ドラム２と転写ベルト１１１の接触部Ｎ１が一次転写部である。転写ベルト１１１の内側には、感光体ドラム２に対向させて一次転写ローラ１１５を配設している。二次転写対向ローラ１１４に対向する位置には二次転写手段としての二次転写ローラ１１７が配置されている。転写ベルト１１１と二次転写ローラ１１７の接触部Ｎ２が二次転写部である。
【００３２】
中間転写ベルトユニット１１０の下方には、給送ユニット１２０が配設されている。給送ユニット１２０は、記録媒体Ｓを搬送する記録媒体搬送手段であって、記録媒体Ｓを収容した給送トレイ１２１と、給出ローラ１２２を有する。
【００３３】
装置本体１００Ａ内の上方には、定着ユニット１３０が配設されている。装置本体１００Ａの上面は、排出トレイ１００ａとなっている。
【００３４】
［画像形成動作］
次に、フルカラー画像の形成動作について、図２を参照して説明する。図２は、カラー電子写真画像形成装置の概略を示す断面模式図である。
【００３５】
フルカラー画像の形成動作は、以下の通りである。
第１〜第４の各カートリッジＰ（ＰＹ・ＰＭ・ＰＣ・ＰＫ）の感光体ドラム２が図２の矢印Ａ方向に所定の速度で回転駆動される。転写ベルト１１１は、矢印Ｂの方向（感光体ドラム回転に順方向）に回転駆動される。このとき、転写ベルト１１１の速度は、感光体ドラム２の速度に対応している。同時にレーザスキャナユニットＬＢが駆動される。
【００３６】
レーザスキャナユニットＬＢの駆動に同期して、各カートリッジＰの帯電ローラ３が所定の極性・電位で感光体ドラム２の表面を一様に帯電する。レーザスキャナユニットＬＢは、各色の画像信号に応じたレーザ光Ｌで各感光体ドラム２の表面を走査露光する。これにより、各感光体ドラム２の表面に対応色の画像信号に応じた静電潜像が形成される。形成された静電潜像は、現像ローラ１１により現像される。現像ローラ１１は、現像剤担持体であって、像担持体としての感光体ドラム２に形成された潜像を現像する現像剤を担持する。
【００３７】
上記の画像形成動作により、第１のカートリッジＰＹの感光体ドラム２には、Ｙ色の現像剤像が形成される。そして、Ｙ色の現像剤像が転写ベルト１１１上に一次転写される。同様に第２のカートリッジＰＭ、第３のカートリッジＰＣ、第４のカートリッジＰＫの現像剤像が転写ベルト１１１上に重畳され、４色フルカラーの未定着の現像剤像が形成される。各プロセスカートリッジＰにおいて、一次転写後に感光体ドラム２の表面に残留した現像剤は、クリーニング部材６によって除去される。
一方、給送トレイ１２１に収容されている記録媒体Ｓが所定の制御タイミングで給送される。二次転写部Ｎ２に導入された記録媒体Ｓの表面に転写ベルト１１１上の４色フルカラーの現像剤像が一括転写される。
【００３８】
記録媒体Ｓは、転写ベルト１１１の表面から分離されて定着ユニット１３０へ導入される。そして、定着ニップ部で加熱・加圧される。これにより、現像剤像が記録媒体Ｓに定着される。その後、定着済みの記録媒体Ｓが排出トレイ１００ａに搬送されることでフルカラー画像の形成動作が完了する。
【００３９】
［プロセスカートリッジの全体的な構成］
次に、プロセスカートリッジＰの全体構成について、図３、図４、図５を用いて説明する。図３は、プロセスカートリッジと現像剤補給カートリッジの主断面図である。図４は、画像形成装置内におけるプロセスカートリッジＰと現像剤補給カートリッジＴの全体像を示す斜視図である。図５は、プロセスカートリッジＰの全体像を示す斜視図である。
【００４０】
図３に示すように、プロセスカートリッジＰ（ＰＹ・ＰＭ・ＰＣ・ＰＫ）は、クリーニングユニット１と現像ユニット１０から形成されている。
【００４１】
最初に、クリーニングユニット１について説明する。クリーニングユニット１は、クリーニング枠体７に、感光体ドラム２と、帯電ローラ３と、クリーニング部材６を有している。
【００４２】
感光体ドラム２は、クリーニング枠体７によって回転自在に支持されている。感光体ドラム２の一端には、図４に示すように、ドラム駆動カップリング２ａが設けられている。感光体ドラム２とドラム駆動カップリング２ａは、一体的に形成されている。ドラム駆動カップリング２ａは、装置本体１００Ａのカップリング（不図示）と係合する。ドラム駆動カップリング２ａに装置本体の駆動モータ（不図示）の駆動力が伝達されることで、感光体ドラム２が図３の矢印Ａ方向に所定の速度で回転駆動される。
【００４３】
帯電ローラ３は、感光体ドラム２に接触しながら従動回転する。帯電ローラ３は、図３に示すように、帯電ローラ軸受４を介して、クリーニング枠体７に取り付けられる。帯電ローラ３は、帯電ローラ３の回転中心と感光体ドラム２の回転中心を結ぶ線に沿って、図３の矢印Ｅ方向に移動可能に取り付けられる。帯電ローラ３の回転軸３ａは、帯電ローラ軸受４に回転可能に支持されている。帯電ローラ軸受４は、帯電ローラ加圧部材５によって感光体ドラム２に向かって付勢される。
【００４４】
クリーニング部材６は、先端の弾性ゴムブレード６ａと支持板金６ｂから構成されている。弾性ゴムブレード６ａの先端は、感光体ドラム２の回転方向（図３の矢印Ａ方向）に対してカウンター方向に当接させている。クリーニング部材６は、感光体ドラム２に残留した現像剤を除去する。クリーニング部材６によって感光体ドラム２の周面から除去された現像剤は、クリーニング枠体７の除去現像剤収容部７ａに収容される。
【００４５】
次に、現像ユニット１０について説明する。現像ユニット１０は、図３に示すように、現像ユニット１０内の各種要素を支持する現像枠体１４を有する。現像枠体１４は、現像部１６と現像剤収容部１５とに分けられる。
【００４６】
現像部１６には、現像ローラ１１、現像剤供給ローラ（以下、「供給ローラ」と称す）１２、現像ブレード１３が設けられている。現像ローラ１１は、感光体ドラム２と接触して矢印Ｄ方向に回転する。供給ローラ１２は、現像ローラ１１と接触しながら、矢印Ｆ方向に回転する。供給ローラ１２には、二つの役割がある。一つは、現像ローラ１１上に現像剤を供給することである。もう一つは、現像に供給されずに現像ローラ１１上に残留した現像剤を剥ぎ取ることである。現像ブレード１３は、現像ローラ１１の周面上に接触することで、現像ローラ１１上の現像剤の層厚を規制する。
【００４７】
一方、現像剤収容部１５は、現像剤補給カートリッジＴから補給される現像剤が収納されている。現像剤収容部１５の詳細は、後述する。
【００４８】
次に、クリーニングユニット１と現像ユニット１０の結合について説明する。図５に示すように、クリーニング枠体７は、クリーニング結合穴８（８Ｒ、８Ｌ）を有する。現像枠体１４には、図３に示すように、長手方向両端に現像側板１９（１９Ｒ、１９Ｌ）が設けられている。現像側板１９（１９Ｒ、１９Ｌ）は、現像結合穴２０（２０Ｒ、２０Ｌ）を有する。クリーニング結合穴８（８Ｒ、８Ｌ）と現像結合穴２０（２０Ｒ、２０Ｌ）は、図５に示すように、結合軸２１（２１Ｒ、２１Ｌ）と嵌合することにより揺動可能に結合される。これにより、クリーニングユニット１と現像ユニット１０が結合する。
【００４９】
クリーニングユニット１と現像ユニット１０の間には、図５に示すように、加圧バネ２２が両端に配置される。加圧バネ２２の付勢力によって、現像ユニット１０は、現像結合穴２０を中心に図３における矢印Ｇ方向の回転モーメントを得る。これにより、現像ローラ１１が感光体ドラム２に当接する。
【００５０】
本実施例において、現像ローラ１１は、感光体ドラム２に接触して配置されているが、所定間隔を設けて配置される構成であってもよい。
【００５１】
［現像剤補給カートリッジの全体的な構成］
次に、現像剤補給カートリッジＴの構成について、図３、図６を参照して説明する。図３は、プロセスカートリッジＰと現像剤補給カートリッジＴの主断面図である。図６は、現像剤補給カートリッジＴの構成を示す概略斜視図である。
【００５２】
現像剤補給カートリッジＴは、図３に示すように、現像剤を収容するための補給枠体４０を有している。補給枠体４０には、プロセスカートリッジＰに現像剤を補給するための現像剤補給開口４３を有する。現像剤補給開口４３の下部には、現像剤補給シャッタ４４が設けられている。通常、現像剤補給シャッタ４４は閉じているが、装置本体１００ＡにプロセスカートリッジＰと現像剤補給カートリッジＴが装着された状態において、開く構成になっている。
【００５３】
補給枠体４０内には、補給搬送部材４１と補給攪拌部材４２が設けられている。補給搬送部材４１と補給攪拌部材４２は、補給枠体４０によって回転可能に支持されている。補給搬送部材４１は、補給枠体４０内の現像剤を現像剤補給開口４３に向けて搬送する。補給搬送部材４１は、図６に示すように、表面にらせん状のフィン４１ａと戻しフィン４１ｂが形成されたスクリュー部材である。フィン４１ａは、矢印Ｑ方向に現像剤を搬送する。戻しフィン４１ｂは、フィン４１ａと逆方向に現像剤を搬送する。補給搬送部材４１の上部には、カバー部材４７が設けられている。カバー部材４７は、現像剤補給開口４３と補給搬送部材４１の長手方向の一部を覆っている。カバー部材４７には、戻し穴４７ａが設けられている。
【００５４】
一方、補給攪拌部材４２の役割は、二つある。一つは、補給枠体４０内の現像剤を攪拌することである。もう一つは、攪拌した現像剤を補給搬送部材４１に送ることである。補給攪拌部材４２は、補給攪拌４２ａと補給攪拌シート４２ｂから形成されている。
【００５５】
補給搬送部材４１と補給攪拌部材４２の長手方向の一端には、それぞれ補給搬送カップリング４５と補給攪拌カップリング４６が設けられている。補給搬送カップリング４５と補給攪拌カップリング４６は、装置本体１００Ａのカップリング（不図示）と係合する。補給搬送カップリング４５と補給攪拌カップリング４６に装置本体１００Ａの駆動モータ（不図示）の駆動力の伝達されることで、補給搬送部材４１と補給攪拌部材４２が所定の速度で回転駆動される。
【００５６】
現像剤補給カートリッジＴ内の現像剤の搬送について説明する。補給枠体４０内の現像剤は、補給攪拌部材４２によって攪拌され、補給搬送部材４１へ送られる。補給搬送部材４１に送られた現像剤は、カバー部材４７まで搬送されるとカバー部材４７によって一部が規制される。これにより、現像剤補給開口４３から排出される現像剤の量が一定となる。カバー部材４７内に搬送された現像剤は、現像剤補給開口４３からプロセスカートリッジＰへ排出される。現像剤補給開口４３から落下しなかった現像剤は、戻しフィン４１ｂによって、戻し穴４７ａから補給攪拌部材４２へ送られ、再び撹拌される。
【００５７】
［現像剤搬送装置の構成］
次に、画像形成装置１００で用いられる現像剤搬送手段（現像剤搬送装置）９の構成について、図７を参照して説明する。図７は、現像ユニット１０の構成を示す概略断面図である。
【００５８】
本実施例では、現像ユニット１０に設けられた現像剤収容部１５および、現像剤収容部１５に取り付けられた現像剤搬送部材２５などの部材によって現像剤搬送装置９が構成される。
【００５９】
現像剤収容部１５は、図７に示すように、仕切り部２９によって第１収容部１５ａと第２収容部１５ｂに分けられる。第１収容部１５ａと第２収容部１５ｂは、長手方向の両端に設けられた第１開口１７と第２開口１８によって接続している。
【００６０】
第一収容部１５ａには、現像剤受入口２３が設けられている。現像剤受入口２３は、現像剤補給カートリッジＴの現像剤補給開口４３と接続する。現像剤補給開口４３と現像剤受入口２３が接続することで、現像剤補給カートリッジＴからプロセスカートリッジＰへ現像剤が補給される。現像剤受入口２３の上部には、現像剤受入シャッタ２６が配置されている。通常、現像剤受入シャッタ２６は閉じているが、装置本体１００ＡにプロセスカートリッジＰと現像剤補給カートリッジＴが装着された状態において、開く構成になっている。
【００６１】
第二収容部１５ｂは、現像開口２８を介して現像部１６と接続している。プロセスカートリッジＰの未使用時において、現像開口２８は、封止部材８０で封止されている。ここで現像開口２８は、現像剤収容部１５から現像剤を排出するための開口部である。封止部材８０は、この現像開口２８に取り付けられ、プロセスカートリッジＰの物流時に現像剤収容部１５から現像剤が漏れるのを防止している。封止部材８０は、現像開口２８面に溶着等で接着される。
【００６２】
封止部材８０の長手方向の一端は、図７に示すように折り返されて、現像枠体１４に設けられたシール開口１４ａを通過して現像枠体１４の外部に延伸している。シール開口１４ａには、シール部材５１が設けられる。シール部材５１は、シール開口１４ａから現像剤を漏れるのを防止する。封止部材８０の折り返し部８０ａの長手方向の端部８０ｂは、現像枠体１４の外部において、巻取り部材３８と結合している。封止部材８０は、巻取り軸部３８ｂに両面テープ等によって接着される。プロセスカートリッジＰを使用する際、封止部材８０は、巻取り部材３８で巻き取られることによって除去される。巻取り部材３８は、封止部材８０を現像開口２８から取り外す（除去する）ための除去部材である。
【００６３】
第一収容部１５ａには、現像剤攪拌部材２４が設けられている。現像剤攪拌部材２４の役割は、二つある。一つは、現像剤収容部１５内の現像剤と現像剤補給カートリッジＴから補給された現像剤を混ぜることである。もう一つは、混ぜた現像剤を矢印Ｈ方向へ搬送することである。すなわち現像剤搬送部材２５を第１の現像剤搬送部材としたとき、現像剤撹拌部材は第２の現像剤搬送部材となる。この現像剤攪拌部材２４は、現像攪拌軸２４ａの周囲に設けられた現像支持軸２４ｂに攪拌バネ２４ｃを取り付けた構成になっている。
【００６４】
第二収容部１５ｂには、現像剤搬送部材２５が設けられている。現像剤搬送部材２５は、矢印Ｊ方向（現像剤搬送方向）に現像剤を搬送するスクリュー部材である。このとき、現像剤攪拌部材２４による現像剤搬送速度は、現像剤搬送部材２５による現像剤搬送速度よりも遅い設定となっている。
【００６５】
現像ユニット１０内の現像剤の搬送について説明する。現像剤補給カートリッジＴから補給された現像剤は、第一収容部１５ａ内で、現像剤攪拌部材２４によって現像剤収容部１５内の現像剤と混ぜられる。混ぜられた現像剤は、第一開口１７を介して第二収容部１５ｂへ送られる。第二収容部１５ｂにおいて、現像剤は、現像剤搬送部材２５によって、現像開口２８から現像部１６へ搬送される。現像部１６に搬送された現像剤は、供給ローラ１２を介して現像ローラ１１に送られ、現像される。現像に供給されなかった現像剤は、再び現像部１６から第二収容部１５ｂに戻る。その後、現像剤搬送部材２５によって、第二開口１８から第一収容部１５ａに搬送される。現像剤はこの状態を繰り返すことで循環される。
【００６６】
［現像ユニットの駆動構成］
次に、現像ユニットの駆動構成について、図５、図７を参照して説明する。図５は、プロセスカートリッジＰの全体像を示す斜視図である。図７は、現像ユニットの概略断面図である。
【００６７】
図７に示すように、現像ローラ１１の一端には、現像ローラ１１に駆動を伝達するための現像ローラギア３０が設けられている。供給ローラ１２の一端には、供給ローラ１２に駆動を伝達するための供給ローラギア３１が設けられている。現像剤搬送部材２５の一端には、現像剤搬送部材２５に駆動を伝達するための現像搬送ギア３２が設けられている。現像搬送ギア３２は、現像剤搬送部材２５を回転させる駆動力が入力される駆動入力部である。
【００６８】
現像剤攪拌部材２４の一端には、現像剤攪拌部材２４に駆動を伝達するための第一現像攪拌ギア３３が設けられている。現像剤攪拌部材２４の他端には、現像剤攪拌部材２４からの駆動を伝達するための第二現像攪拌ギア３４が設けられている。
【００６９】
一方、現像ユニット１０の長手方向の一端には、図５に示すように、現像駆動カップリング２７が設けられている。現像駆動カップリング２７は、装置本体１００Ａのカップリング（不図示）と係合する。現像駆動カップリング２７は、装置本体１００Ａの駆動モータ（不図示）の駆動力が伝達されると、所定の速度で回転する。
【００７０】
装置本体１００Ａの駆動モータの駆動力は、現像駆動カップリング２７から以下の経路で伝達される。
【００７１】
現像駆動カップリング２７の駆動は、図７に示すように、現像駆動カップリング２７のギア部２７ａから第一アイドラギア３５と第二アイドラギア３６を介して、現像ローラギア３０と供給ローラギア３１へ伝達される。これにより、現像ローラ１１と供給ローラ１２が駆動する。
【００７２】
また、第一アイドラギア３５の駆動は、第一現像攪拌ギア３３にも伝達され、現像剤攪拌部材２４が駆動する。現像剤攪拌部材２４の駆動は、第二現像攪拌ギア３４から第三アイドラギア３７を介して現像搬送ギア３２に伝達され、現像剤搬送部材２５が駆動する。
【００７３】
また、第三アイドラギア３７の駆動は、第四アイドラギア３９にも伝達される。第四アイドラギアの駆動は、巻取り部材３８に伝達され、巻取り部材３８が回転する。これにより、封止部材８０が巻き取られ、現像開口２８から除去される。
【００７４】
プロセスカートリッジＰが装置本体１００Ａに装着されて、新品状態を検知された時に、現像駆動カップリング２７が駆動されることで、封止部材８０の巻き取りが開始する。
【００７５】
このとき、現像駆動カップリング２７には、現像ローラ１１、供給ローラ１２、現像剤撹拌部材２４、現像剤搬送部材２５、封止部材８０の巻き取り部材３８、それらの駆動に要する負荷トルクがかかる。
【００７６】
特に物流により、第二収容部１５ｂにおける現像剤搬送部材２５による現像剤搬送方向Ｊの下流側、かつ第一収容部１５ａにおける現像剤撹拌部材２４による現像剤搬送方向Ｈの上流側に現像剤が凝集した場合、負荷トルクが最も大きくなることがわかっている。その理由は、現像剤搬送部材２５と現像剤撹拌部材２４の駆動が開始された際に、第一収容部１５ａ内を移動する現像剤の速度が第二収容部１５ｂを移動する現像剤の速度と比べて遅いためである。これにより第二開口１８を通って、第二収容部１５ｂから第一収容部１５ａに搬送された現像剤が、現像剤搬送方向Ｊの下流側に詰まりやすくなる。現像剤が詰まった後も、現像剤搬送部材２５が駆動され続けると現像剤搬送部材２５を駆動させるために必要な負荷トルクが上昇してしまうことになる。
【００７７】
一方、現像剤搬送部材２５の現像剤搬送方向Ｊの上流側に現像剤が凝集した場合には、問題が生じることは少ない。これは第二収納部１５ｂの現像剤移動速度が第一収容部１５ａの現像剤移動速度と比べて速く、また、第二収容部１５ｂの現像剤搬送方向Ｊの下流側に空間があるため、現像剤の凝集が解消されるためである。
【００７８】
現像剤搬送方向Ｊの上流側に現像剤が凝集してしまう課題の対策として、本実施例の現像剤搬送装置９では、最も負荷トルクがかかる現像剤搬送部材２５に対して、第二収容部１５ｂ内部にてクラッチ部７０を設けている。このクラッチ部７０は、現像剤収容部１５の中にあって、現像剤搬送部材２５と、現像搬送ギア３２の間、かつ現像剤搬送部材２５と、現像搬送ギア３２それぞれと同軸に設けられている。このように、現像剤収容部１５内にクラッチ部７０を設けることで現像剤収容部１５の外部にクラッチ部を設ける場合と比べて装置の小型化を達成することができる。
【００７９】
現像剤搬送部材２５の負荷トルクが一定以上の場合、クラッチ部７０が動作し、現像剤搬送部材に伝わる駆動が遮断される。現像剤搬送部材２５の駆動が遮断されている間も第四アイドラギア３９への駆動伝達は行われているため、封止部材８０の巻き取りは継続して行われる。封止部材８０の巻き取りに応じて、現像開口２８が徐々に露出し始める。その後、第二収納部１５ｂに凝集された現像剤が、現像部１６に落ち始める。現像部１６に現像剤が落ちることで、現像剤搬送部材２５を駆動させるための負荷トルクが減少し、現像搬送ギア３２の駆動が現像剤搬送部材２５に伝達され、現像剤搬送部材２５が駆動開始する。
【００８０】
また、現像剤搬送部材２５の駆動が遮断された際も、現像剤撹拌部材２４は駆動され続けるので、現像剤撹拌部材２４によっても現像剤の凝集を解消させることができる。
【００８１】
［クラッチ部の構成］
本発明の特徴的な構成であるクラッチ部７０の詳細な構成について、図１、図８及至図１０を用いて詳細に説明する。図１は図７におけるクラッチ部７０の拡大図である。図８は、現像剤搬送部材２５とクラッチ部７０の分解斜視図である。図９は係合部材７２の図８におけるＷ方向矢視図である。図１０（ａ）は、現像搬送部材２５の駆動中におけるクラッチ部７０の概略断面図である。図１０（ｂ）は、現像搬送部材２５の駆動遮断時におけるクラッチ部７０の概略断面図である。
【００８２】
図８に示すように、現像剤搬送部材２５の同軸上に弾性部材である圧縮コイルバネ（以下、圧縮バネと呼ぶ）７１と、係合部材７２を取り付ける。この状態で、現像剤搬送部材２５を現像剤収容部１５の第二収容部１５ｂに取り付け、現像枠体１４の外側から現像搬送ギア３２を取り付ける。このとき、圧縮バネ７１は現像剤搬送部材２５のバネ受け面２５ｅと係合部材７２のバネ受け部７２ｅの間で保持される。
また、係合部材７２の内周部７２ｂと現像搬送ギア３２の外周部３２ａは係合する。
【００８３】
次に、図８、図１０（ａ）を用いて、現像剤搬送部材２５の駆動時の状態を説明する。
係合部材７２の内周部７２ｂには、リブ状の駆動伝達部７２ｃ、７２ｄが設けられている。現像剤搬送部材２５は円筒部２５ｂを有し、駆動伝達部７２ｃ、７２ｄに対応する位置にスリット２５ａを有する。係合部材７２は、円筒部２５ｂに対して、内周部７２ｂが軸方向に移動可能に係合している。
【００８４】
駆動伝達部７２ｃ、７２ｄは、現像搬送ギア３２の駆動を受け、現像剤搬送部材２５に駆動力を伝達する機能をもつ。また現像搬送ギア３２は、現像剤搬送部材２５の回転軸に対して傾斜し、係合部材７２と係合する斜面（以下、カム面）３２ｂを有する。現像搬送ギア３２は、カム面３２ｂが、駆動伝達部７２ｃ、７２ｄに接触することによって、係合部材７２に駆動力を伝える。その後、駆動伝達部７２ｃ、７２ｄは、現像剤搬送部材２５のスリット２５ａに係合した状態で被駆動伝達面２５ｃ、２５ｄと接触し、現像剤搬送部材２５の駆動が行われる。
【００８５】
次に、図８、図１０（ｂ）を用いて、現像剤搬送部材２５の駆動遮断時の状態を説明する。
現像剤搬送部材２５を駆動させるために必要な負荷トルクが一定以上になると、係合部材７２の駆動伝達部７２ｃ、７２ｄは回転中の現像剤搬送ギア３２のカム面３２ｂに沿って、圧縮バネ７１が圧縮する方向（矢印Ｖ方向）に移動する。このとき、係合部材７２の駆動伝達部７２ｃ、７２ｄにかかる軸方向の力は圧縮バネ７１から係合部材７２にかかる力よりも大きくなっている。そして、駆動伝達部７２ｃ、７２ｄが現像剤搬送ギア３２のカム面３２ｂの頂点３２ｃと接触する位置（規制位置）（図１０（ｂ）参照）まで達すると、現像搬送ギア３２から、係合部材７２への回転駆動伝達は行われなくなる。
【００８６】
すなわち、係合部材７２は、現像剤搬送部材２５に駆動力を伝える位置（駆動伝達位置）（図１０（ａ）参照）と、現像搬送部材２５に駆動力が伝わるのを規制する規制位置（図１０（ｂ）参照）とを移動可能な移動部材である。係合部材７２は圧縮バネ７１によって駆動伝達位置に向けて付勢されているが、現像剤搬送部材２５を駆動させるために必要な駆動力（負荷トルク）が所定の大きさを超えると、駆動伝達位置から規制位置に移動する。この動作により、現像剤搬送部材２５への駆動が遮断される。
【００８７】
本実施例では、現像剤搬送ギア３２の駆動１周期に２回、係合部材７２のＶ方向への移動が行われる。現像剤搬送部材２５の回転トルクが一定以下になると、現像剤搬送ギア３２のカム面３２ｂによって、駆動が開始される。本実施例において係合部材７２の移動回数は、現像剤搬送ギア３２の駆動１周期に２回であったが、これに限らず、１周期あたりの移動回数を増やすことも可能である。以上により、圧縮バネ７１と係合部材７２のみを追加した簡易構成で、負荷トルクが一定以上になったときに駆動遮断できる。
【００８８】
また、本実施例においては図９に示すように係合部材７２のバネ受け面７２ｅに３箇所の穴７２ｇが設けられている。穴７２ｇは、係合部材７２を貫通する貫通穴であって、係合部材７２が移動する際に現像剤が通過することを許容する。すなわち係合部材７２が移動する際に現像剤が穴７２ｇを通過することができるので、係合部材７２が現像剤から受ける抵抗を低減することができる。
【００８９】
［クラッチ部の現像剤搬送能力］
本実施例において、クラッチ部７０は図１に示すように、現像剤収容部１５の内部かつ、第二収容部１５ｂ側端部に配設され、第一開口１７に面している。クラッチ部７０が現像剤収容部１５内部に設けたことによって、クラッチ部７０の周囲に位置する現像剤は現像剤搬送部材２５によって現像剤搬送方向Ｊに搬送することができない。
【００９０】
そこで、本実施例においては、圧縮バネ７１の巻き方向を現像剤搬送部材２５のスクリュー部２５ｆの螺旋形状の巻き方向と同一にしている。すなわち、現像剤搬送部材２５によって現像剤搬送方向Ｊの上流側（図１の右側）から圧縮バネ７１を見て、圧縮バネ７１を形成するコイルは、現像剤搬送方向の上流側から下流側に向かって、現像剤搬送部材２５の回転方向と逆向きに巻かれるようにしている。
【００９１】
このような構成にすることで現像剤搬送部材２５の駆動時に、現像搬送ギア３２からの駆動力を受けて圧縮バネ７１が回転すると、圧縮バネ７１はそのコイルを用いて現像剤を現像剤搬送方向Ｊに搬送することができる。すなわち圧縮バネ（圧縮コイルバネ）７１は、クラッチ部７０が現像撹拌ギア３１から駆動力を受けた際に、現像剤を現像剤搬送方向Ｊに搬送する搬送部（クラッチ側搬送部）となる。これによりクラッチ部７０を現像剤収容部１５に設けた場合であっても、クラッチ部７０自身で現像剤を搬送することが可能になる。
【００９２】
なおクラッチ部７０に搬送部を複数設けても良い。本実施例では、圧縮バネ７１が取り付けられる係合部材７２のバネ受け部７２ｅ外周に、螺旋状のリブ形状からなるフィン部７２ｆ（図８参照）が設けられている。フィン７２ｆは現像剤を搬送するため係合部材７２に設けられた搬送部（第２のクラッチ側搬送部）である。
【００９３】
フィン部７２ｆの螺旋形状巻き方向は現像剤搬送部材２５のスクリュー部２５ｆの螺旋形状と同方向である。現像剤搬送部材２５駆動時に、現像搬送ギア３２からの駆動力を受けて係合部材７２が回転すると、フィン部７２ｆによって現像剤を現像剤搬送方向Ｊに搬送することが可能となっている。
【００９４】
さらに、現像剤搬送部材２５のバネ受け部２５ｅには、穴２５ｇが設けられており、圧縮バネ７１および係合部材７２のフィン部７２ｆによって搬送された現像剤を効率よく現像剤搬送部材２５のスクリュー部２５ｆへ受け渡せるようになっている。すなわち穴２５ｇは現像剤搬送部材２５を貫通する貫通穴であって、クラッチ部７０によって搬送される現像剤が通過することを許容するものである。
【００９５】
以上に説明したように本発明によれば、装置小型化のためにクラッチ部７０を現像剤収容部１５内に設けた場合においても、クラッチ部７０周辺における現像剤の滞留を抑制し、現像剤を搬送することができる。
【００９６】
なお、本実施例においては、クラッチ部７０を、最も負荷トルクがかかる現像剤搬送部材２５への駆動経路に対して適用したが、これに限らず、クラッチ部７０を現像剤攪拌部材２４への駆動経路に適用してもよい。また、本実施例では、プロセスカートリッジにクラッチ部７０を用いた現像剤搬送装置を採用したが、現像剤補給カートリッジＴにおいても、先に説明した現像剤搬送装置の構成を用いても良い。
【００９７】
＜実施例２＞
上記の実施例１に示した現像剤搬送装置では、クラッチ部７０は圧縮バネ７１と係合部材７２によって現像剤を搬送する構成であった。本発明の第２実施例では、第１実施例におけるクラッチ部７０での搬送性をさらに向上させるために、カバー部材７３を追加した場合について図１１を用いて説明する。なお、本実施形態における、係合部材７２、圧縮バネ７１の配置および動作については実施例１と同一であるので、同一の符合を付してその説明を省略する。
【００９８】
図１１は本実施形態における、クラッチ部１７０の拡大断面図である。本実施形態において、現像剤搬送装置は、現像剤搬送部材２５、現像搬送ギア３２、クラッチ部１７０を有する。クラッチ部１７０は係合部材７２と圧縮バネ７１およびカバー部材７３から構成される。ここで、図１１に示すように、カバー部材７３は現像搬送ギア３２に対して同軸に固定され、係合部材７２および圧縮バネ７１を覆うように配設されている。また、カバー部材７３の外周には螺旋形状のフィン部７３ｆが設けられている。フィン部７３ｆの螺旋形状の巻き方向は現像剤搬送部材２５と同一方向となっており、現像搬送ギア３２の回転によって、現像剤を現像剤搬送方向Ｊへ搬送することができる。また、カバー部材７３の内部に入り込んだ現像剤は圧縮バネ７１および係合部材７２のフィン部７２ｆによって搬送され、カバー部材７３と現像剤搬送部材２５の隙間および現像剤搬送部材２５に設けられた穴２５ｇから排出される。また、本実施形態において、係合部材７２のバネ受け部７２ｅには穴は形成されていない。これは、現像剤搬送部材２５に過負荷がかかったときに係合部材７２が現像剤搬送部材２５の現像剤搬送方向Ｊに移動することで、カバー部材７３の内部の現像剤を排出するようにするためである。
【００９９】
すなわち係合部材７２が、現像剤搬送部材２５に駆動力を伝達することを規制する規制位置は、現像剤搬送部材２５に駆動力を伝達する駆動伝達位置より下流にある。そのため、係合部材７２が駆動伝達位置から規制位置に移動することで、係合部材７２の可動範囲にある現像剤を現像剤搬送方向Ｊに搬送させて除去することができる。
【０１００】
このように、本実施例においては係合部材７２および現像剤搬送部材２５の動作に関わらず、現像搬送ギア３２の回転に応じてカバー部材７３のフィン部７３ｆで現像剤を搬送できる。
また、係合部材７２が、駆動伝達位置から規制位置に移動することで係合部材７２のバネ受け部７２ｅによって係合部材７２の可動範囲にある現像剤を搬送することができる。
【０１０１】
以上に説明したように本発明によれば、装置小型化のためにクラッチ部１７０を現像剤収容部１５内に設けた場合においても、クラッチ部１７０周辺における現像剤の滞留を抑制し、現像剤を搬送することができる。
【０１０２】
なお、本実施例においてはカバー部材７３は現像搬送ギア３２と別部材で形成されているが、一体で形成してもよい。また、カバー部材７３のフィン部７３ｆは螺旋状に形成されているが、それに限らず、傾斜したリブを配置することで同様の効果を得ることができる。さらに、同様の駆動構成をもつ現像剤補給カートリッジにおいても、先に説明した本実施例の構成を用いることで、同様の効果を得ることができる。
【０１０３】
＜実施例３＞
上記実施例１および実施例２においては、クラッチ部７０およびクラッチ部１７０において係合部材７２に代表される駆動伝達機構が現像剤に露出していた。本発明の第３実施例では、駆動伝達機構を現像剤に接触させないようにした場合について図１２を用いて説明する。
【０１０４】
図１２は本実施形態における、クラッチ部２７０の拡大断面図である。図１２に示すように本実施例にかかる現像剤搬送装置は、クラッチ部２７０と、それと同軸上で係合する現像搬送ギア２３２と現像剤搬送部材２２５を有する。クラッチ部２７０はカバー部材２７１とトルクリミッタ２７２から構成される。トルクリミッタ２７２は現像攪拌ギア２３２と、現像剤搬送部材２２５の間に配設され、現像剤搬送部材２２５に過負荷がかかったときに空転するようになっている。
【０１０５】
すなわち、トルクリミッター２７２は現像剤搬送部材２５５に駆動を伝達する駆動伝達部である。現像剤搬送部材２２５と係合して現像剤搬送部材に駆動力を伝達する駆動伝達状態と、前記駆動伝達状態を解除し、現像剤搬送部材に駆動力が伝達されるのを規制する規制状態とを取り得る。
【０１０６】
カバー部材２７１はトルクリミッタ２７２に固定され、トルクリミッタ２７２を覆うように配設されている。カバー部材２７１の軸方向両端部はそれぞれ現像剤搬送部材２２５の軸部２２５ｈおよび現像攪拌ギア２３２の軸部２３２ｈと係合している。また、カバー部材２７１には軸部２２５ｈおよび２３２ｈと係合する箇所にシール部材２７１ａ、２７１ｂが配設され、カバー部材２７１内部に現像剤が入り込むのを防止している。カバー部材２７１の外周には螺旋状に形成された突起状のフィン部２７１ｆが形成されている。フィン部２７１ｆの螺旋形状の巻き方向は、現像剤搬送部材２５のスクリュー部２５ｆと同一方向であり、現像剤搬送部材２５が駆動されるとフィン部２７１ｆで現像剤を現像剤搬送方向Ｊに搬送することが可能となっている。すなわちカバー部材２７１は現像撹拌ギア２３２と一体となって回転し、現像剤を現像剤搬送方向Ｊに搬送する搬送部（クラッチ側搬送部）である。
【０１０７】
以上に説明したように本発明によれば、装置小型化のためにクラッチ部２７０を現像剤収容部１５内に設けた場合においても、駆動伝達機構への現像剤の影響を抑制できる。同時に、クラッチ部２７０周辺における現像剤の滞留を抑制し、現像剤を搬送することができる。
【０１０８】
特に本実施例によれば、駆動入力部である現像搬送ギア２３２から駆動力を受けることで、カバー部材２７１が回転するので、トルクリミッタ２７２の動作に関わらず常にカバー部材２７１のフィン部２７１ｆで現像剤を搬送できる。
【０１０９】
またカバー部材２７１は、トルクリミッタ２７２に現像剤が進入することを抑制するので、トルクリミッタ２７２の誤動作を抑制し、現像剤搬送部材２２５による現像剤による現像剤の搬送を確実に行うことができる。
【０１１０】
なお、本実施形態においては駆動伝達部としてトルクリミッタ２７２を使用して現像剤搬送部材２５の駆動を制御しているが、それに限るものではない。駆動伝達部として実施例１、２で説明した圧縮バネ７１と係合部材７２を用いる方法や摩擦クラッチ、ワンウェイクラッチ等を使用してもよい。また、本実施例において、カバー部材２７１のフィン部２７１ｆは螺旋状に形成されているが、それに限らず、傾斜したリブを配置することで同様の効果を得ることができる。また、本実施例において、カバー部材２７１はトルクリミッタ２７２に対して固定されているが、現像搬送ギア３２または現像搬送部材２５に対して固定してもよい。さらに、同様の駆動構成をもつ現像剤補給カートリッジにおいても、先に説明した本実施例の構成を用いることで、同様の効果を得ることができる。
【０１１１】
本実施形態によれば、クラッチ部の動作に関わらず、駆動入力部に追従して搬送部（クラッチ側搬送部）が回転する。搬送部に設けられたフィン状の突起で駆動入力部に追従して現像剤を搬送することができるため、クラッチ機能を有した現像剤搬送装置の小型化と現像剤の搬送性を両立することができる。
【符号の説明】
【０１１２】
９  現像剤搬送装置
１５  現像剤収容部
１５ａ  第一収容部
１５ｂ  第二収容部
２５、２２５  現像剤搬送部材
２５ａ  スリット
２５ｂ  円筒部
２５ｃ、２５ｄ  被駆動伝達面
２５ｅ  バネ受け部
２５ｆ  スクリュー部
２５ｇ  穴
３２、２３２  現像搬送ギア
７２  係合部材
７０、１７０，２７０  クラッチ部
７０ｂ  内周部
７０ｃ、７０ｄ  駆動伝達部
７０ｅ  バネ受け部
７０ｆ  フィン部
７０ｇ  穴
７１  圧縮バネ
７３  カバー部材
７３ｆ  フィン部
１００  画像形成装置
１００Ａ  画像形成装置本体（装置本体）
１２０  給送ユニット
１２１  給送トレイ
１２２  給出ローラ
２７１  カバー部材
２７１ａ、２７１ｂ  シール部材
２７１ｆ  フィン部
２７２  トルクリミッタ
【図１】
0005484420.tif 000002
【図２】
0005484420.tif 000003
【図３】
0005484420.tif 000004
【図４】
0005484420.tif 000005
【図５】
0005484420.tif 000006
【図６】
0005484420.tif 000007
【図７】
0005484420.tif 000008
【図８】
0005484420.tif 000009
【図９】
0005484420.tif 000010
【図１０】
0005484420.tif 000011
【図１１】
0005484420.tif 000012
【図１２】
0005484420.tif 000013